(57)【要約】【目的】  装置内部の温度上昇によって生じる装置の状況の変化を使用者が容易に認識可能に通知できるようにする。【構成】  ＣＰＵ３６は、冷却ファン６０によってドライブ内部に空気の取り込み開始後、温度センサ６２で検出されたドライブ内の温度が、予め設定された第１の所定温度ＴＭＰ１に達してからそれよりも高温の第２の所定温度ＴＭＰ２に達するまでの経過時間を計測し、その経過時間を予め設定されている基準時間Ｔｒｅｆ１を比較し、その比較結果に基づいて経過時間Ｔｂが基準時間Ｔｒｅｆ１よりも短時間と判断したとき、モータドライバ４２とレーザコントローラ２７へ指示を出してＬＤから発生させるレーザ光ＬＢのレベルを低下させることにより、情報の記録又は再生の速度を低下させる速度低下制御を実行し、速度表示ＬＥＤ６３によって情報の記録又は再生の速度が低下したことを通知する。【選択図】        図１
2005251337.tif 000002
【特許請求の範囲】
【請求項１】
記録媒体の記録面にレーザ光を照射して情報の記録又は再生を行う情報記録再生装置であって、
装置外部から装置内部に空気を取り込んで装置内部を冷却する冷却手段と、
該冷却手段によって取り込む空気を浄化する空気浄化手段と、
装置内部の温度を検出する温度検出手段と、
前記冷却手段によって装置内部に空気の取り込み開始後、前記温度検出手段によって検出された装置内部の温度が、予め設定された第１の所定温度に達してから該第１の所定温度よりも高温の第２の所定温度に達するまでの経過時間を計測する計測手段と、
該計測手段によって計測された経過時間を予め記憶された基準時間と比較する比較手段と、
該比較手段による比較結果に基づいて前記経過時間が前記基準時間よりも短時間であると判断したとき、前記情報の記録又は再生を行うときの速度を低下させる速度低下制御手段と、
該速度低下制御手段によって速度を低下させたときに前記情報の記録又は再生の速度が低下したことを通知する速度低下通知手段とを備えたことを特徴とする情報記録再生装置。
【請求項２】
記録媒体の記録面にレーザ光を照射して情報の記録又は再生を行う情報記録再生装置であって、
装置外部から装置内部に空気を取り込んで装置内部を冷却する冷却手段と、
該冷却手段によって取り込む空気を浄化する空気浄化手段と、
装置内部の温度を検出する温度検出手段と、
前記冷却手段によって装置内部に空気の取り込み開始後、前記温度検出手段によって検出された装置内部の温度が、予め設定された第１の所定温度に達してから該第１の所定温度よりも高温の第２の所定温度に達するまでの経過時間を計測する計測手段と、
該計測手段によって計測された経過時間を予め記憶された第１の基準時間と該第１の基準時間よりも短時間である第２の基準時間とそれぞれ比較する比較手段と、
該比較手段による比較結果に基づいて、前記経過時間が前記第１の基準時間よりも短時間であると判断したときは前記情報の記録又は再生を行うときの速度を予め決められた第１の速度まで低下させ、前記経過時間が前記第２の基準時間よりも短時間であると判断したときは前記情報の記録又は再生を行うときの速度を前記第１の速度よりもさらに低速の第２の速度まで低下させる速度低下制御手段と、
該速度低下制御手段によって速度を低下させたときに前記情報の記録又は再生の速度が前記第１の速度まで低下したことと前記第２の速度まで低下したことを識別可能に通知する速度低下通知手段とを備えたことを特徴とする情報記録再生装置。
【請求項３】
請求項２記載の情報記録再生装置において、
前記比較手段による比較結果に基づいて、前記経過時間が前記第１の基準時間よりも短時間であると判断したときは前記空気浄化手段が汚れていることを警告する警告手段を設けたことを特徴とする情報記録再生装置。
【請求項４】
請求項１乃至３のいずれか一項に記載の情報記録再生装置において、
前記速度低下通知手段に、前記速度を低下させたことを通知する際に点滅表示によって通知する手段を設けたことを特徴とする情報記録再生装置。
【請求項５】
記録媒体の記録面にレーザ光を照射して情報の記録又は再生を行う情報記録再生装置であって、
装置外部から装置内部に空気を取り込んで装置内部を冷却する冷却手段と、
該冷却手段によって取り込む空気を浄化する空気浄化手段と、
装置内部の温度を検出する温度検出手段と、
前記冷却手段によって装置内部に空気の取り込み開始後、前記温度検出手段によって検出された装置内部の温度が、予め設定された第１の所定温度に達してから該第１の所定温度よりも高温の第２の所定温度に達するまでの経過時間を計測する計測手段と、
該計測手段によって計測された経過時間を予め記憶された基準時間と比較する比較手段と、
該比較手段による比較結果に基づいて前記経過時間が前記基準時間よりも短時間であると判断したとき、前記空気浄化手段が汚れていることを警告する警告手段とを備えたことを特徴とする情報記録再生装置。
【請求項６】
記録媒体の記録面にレーザ光を照射して情報の記録又は再生を行う情報記録再生装置であって、
装置外部から装置内部に空気を取り込んで装置内部を冷却する冷却手段と、
該冷却手段によって取り込む空気を浄化する空気浄化手段と、
装置内部の温度を検出する温度検出手段と、
前記冷却手段によって装置内部に空気の取り込み開始後、前記温度検出手段によって検出された装置内部の温度が、予め設定した第１の所定温度に達してから該第１の所定温度よりも高温の第２の所定温度に達するまでの経過時間を計測する計測手段と、
該計測手段によって計測された経過時間を予め記憶された第１の基準時間と該第１の基準時間よりも短時間である第２の基準時間とそれぞれ比較する比較手段と、
該比較手段による比較結果に基づいて、前記経過時間が前記第１の基準時間よりも短時間且つ前記第２の基準時間よりも長時間であると判断したときは前記空気浄化手段が汚れていることを警告し、前記経過時間が前記第２の基準時間よりも短時間であると判断したときは前記冷却手段による冷却に異常があることを警告すると共に前記情報の記録又は再生を禁止する手段とを備えたことを特徴とする情報記録再生装置。
【請求項７】
請求項１乃至６のいずれか一項に記載の情報記録再生装置において、
前記温度検出手段によって前記第１の所定温度よりも低温の第３の所定温度を検出したとき、前記冷却手段によって装置外部から装置内部に空気を取り込んで装置内部の冷却を開始させる手段を設けたことを特徴とする情報記録再生装置。
【請求項８】
請求項１乃至７のいずれか一項に記載の情報記録再生装置において、
前記基準時間を、前記記録媒体の種類，前記記録媒体の回転速度，前記記録媒体への情報の記録又は再生毎に切り替える手段を設けたことを特徴とする情報記録再生装置。
【発明の詳細な説明】
【技術分野】
【０００１】
この発明は、各種のＣＤ，ＤＶＤに情報の記録又は再生を行うＣＤドライブ，ＤＶＤドライブ等の情報記録再生装置に関する。
【背景技術】
【０００２】
光ディスク装置ではレーザダイオード（ＬＤ）の点灯、処理ＩＣや電源回路によって、かなりの発熱量があるのだが、記録、再生速度の高速化に伴ってＬＤ出力を増加させるために発熱量はより増大する傾向にある。発熱を押えるために空冷の冷却ファンを使用することや、塵埃が装置内部に侵入しないようにするために冷却ファンと共にダストフィルタが使用されることもよく知られている。
また、装置内部の温度を監視して、所定温度を超えた時に装置の作動を停止したり、電源を切断することが知られている。
さらに、ダストフィルタに塵埃が付着すると冷却効果が低下するので、フィルタの交換や洗浄が必要なのだが、使用環境によって交換や洗浄の時期は大きく異なるので、適切な時期に使用者に知らせる工夫もなされている。
【０００３】
従来、次のような情報記録再生装置があった。
（従来技術１）温度センサによりディスク収納容器の温度が基準値を超えたことを検出すると、読み出し書き込み不能であることを上位装置に通知する情報記録再生装置（例えば、特許文献１参照）
（従来技術２）複数箇所の温度を測定して、温度が所定値以上となった時はスピンドルモータ速度またはレーザ出力を低下させる情報記録再生装置（例えば、特許文献２参照）
（従来技術３）ゾーンＣＬＶ方式で速度が変化したことを表示する手段を持つ情報記録再生装置（例えば、特許文献３参照）
（従来技術４）ドライブ駆動時間を累積して冷却ファン用ダストフィルタの交換，清掃時期を知らせる情報記録再生装置（例えば、特許文献４参照）
【０００４】
（従来技術５）装置内の温度が所定値以上となった時はファンまたはフィルタの交換をするように警告する情報記録再生装置（例えば、特許文献５参照）
（従来技術６）冷却ファンの回転数を計測してダストフィルタの正確な交換時期を知らせる情報記録再生装置（例えば、特許文献６参照）
【特許文献１】特開平５−２３４２３７号公報
【特許文献２】特開２００２−５６５５８号公報
【特許文献３】特開２００３−２０３３４９号公報
【特許文献４】特開平７−２６２７６６号公報
【特許文献５】特開平５−１４４２５０号公報
【特許文献６】特開平７−２９６５７８号公報
【発明の開示】
【発明が解決しようとする課題】
【０００５】
しかしながら、上述した従来の情報記録再生装置では、それぞれ次の問題があった。
（従来技術１）では、内部温度を監視して所定値を超えた時は、冷却ファンまたはフィルタの異常と判断して警告をする。この構成では１つの設定温度で判断するために、所定温度を超えると装置が停止してしまうので使用者の作業も中断されてしまう。また、フィルタの汚れによる異常なのか、冷却ファンの故障による異常なのかを判断することもできない。
（従来技術２）では、所定値を超えた箇所の速度、出力を低下させるので、作業が突然中断されることはなくなるが、使用者は実行速度が低下している理由がわからない。また、冷却ファンやダストフィルタの問題で温度が上昇する場合は自然に元の状態には復帰しないので、使用者は速度が低下したまま使い続けることになる。
【０００６】
（従来技術３）では、速度が変化していることを使用者に表示しているが、この速度低下に対して使用者は何も対処することはできない。また、温度変化については何も考慮されていない。
（従来技術４）では、温度センサを用いずに、ドライブ駆動時間を累積して冷却ファン用ダストフィルタの交換、清掃時期を知らせるようにしている。しかし、フィルタの汚れ具合は使用環境によって大きく異なるので、上記ドライブ駆動時間に至る前にドライブ駆動中の実際の温度が危険温度を超えてしまっても、冷却ファン用ダストフィルタの交換、清掃時期を促すことができないという問題があった。そこで、安全のために短い使用時間で警告を出すような設定にすると、使用者に対して頻繁なメンテナンス作業を使用者に要求することになり、使い勝手が悪くなる。
【０００７】
（従来技術５）では、内部温度を監視して所定値を超えた時は、冷却ファンまたはフィルタの異常と判断して警告をする。この構成の場合、１つの設定温度で判断するためにフィルタの汚れ具合がどの程度なのかを判断することはできない。また、フィルタの汚れによる異常なのか、冷却ファンの故障による異常なのかを判断することもできない。
（従来技術６）では、冷却ファンの回転数によってフィルタの汚れ状況を判断するので、フィルタの汚れ具合が判断できるのだが、フィルタの汚れが必ずしも温度と相関があるわけではないので、実際の温度が危険温度を超えてしまう可能性がある。安全のために少ない汚れでもフィルタが汚れたと判断して警告を出すような設定にすると、使用者に対して頻繁なメンテナンス作業を使用者に要求することになる。
【０００８】
この発明は上記の点に鑑みてなされたものであり、装置内部の温度上昇によって生じる装置の状況の変化を使用者が容易に認識可能に通知できるようにすることを目的とする。
【課題を解決するための手段】
【０００９】
この発明は上記の目的を達成するため、次の（１）〜（８）の各情報記録再生装置を提供する。
（１）記録媒体の記録面にレーザ光を照射して情報の記録又は再生を行う情報記録再生装置であって、装置外部から装置内部に空気を取り込んで装置内部を冷却する冷却手段と、その冷却手段によって取り込む空気を浄化する空気浄化手段と、装置内部の温度を検出する温度検出手段と、上記冷却手段によって装置内部に空気の取り込み開始後、上記温度検出手段によって検出された装置内部の温度が、予め設定された第１の所定温度に達してからその第１の所定温度よりも高温の第２の所定温度に達するまでの経過時間を計測する計測手段と、その計測手段によって計測された経過時間を予め記憶された基準時間と比較する比較手段と、その比較手段による比較結果に基づいて上記経過時間が上記基準時間よりも短時間であると判断したとき、上記情報の記録又は再生を行うときの速度を低下させる速度低下制御手段と、その速度低下制御手段によって速度を低下させたときに上記情報の記録又は再生の速度が低下したことを通知する速度低下通知手段を備えた情報記録再生装置。
【００１０】
（２）記録媒体の記録面にレーザ光を照射して情報の記録又は再生を行う情報記録再生装置であって、装置外部から装置内部に空気を取り込んで装置内部を冷却する冷却手段と、その冷却手段によって取り込む空気を浄化する空気浄化手段と、装置内部の温度を検出する温度検出手段と、上記冷却手段によって装置内部に空気の取り込み開始後、上記温度検出手段によって検出された装置内部の温度が、予め設定された第１の所定温度に達してからその第１の所定温度よりも高温の第２の所定温度に達するまでの経過時間を計測する計測手段と、その計測手段によって計測された経過時間を予め記憶された第１の基準時間とその第１の基準時間よりも短時間である第２の基準時間とそれぞれ比較する比較手段と、その比較手段による比較結果に基づいて、上記経過時間が上記第１の基準時間よりも短時間であると判断したときは上記情報の記録又は再生を行うときの速度を予め決められた第１の速度まで低下させ、上記経過時間が上記第２の基準時間よりも短時間であると判断したときは上記情報の記録又は再生を行うときの速度を上記第１の速度よりもさらに低速の第２の速度まで低下させる速度低下制御手段と、その速度低下制御手段によって速度を低下させたときに上記情報の記録又は再生の速度が上記第１の速度まで低下したことと上記第２の速度まで低下したことを識別可能に通知する速度低下通知手段を備えた情報記録再生装置。
【００１１】
（３）上記（２）の情報記録再生装置において、上記比較手段による比較結果に基づいて、上記経過時間が上記第１の基準時間よりも短時間であると判断したときは上記空気浄化手段が汚れていることを警告する警告手段を設けた情報記録再生装置。
（４）上記（１）〜（３）のいずれかの情報記録再生装置において、上記速度低下通知手段に、上記速度を低下させたことを通知する際に点滅表示によって通知する手段を設けた情報記録再生装置。
【００１２】
（５）記録媒体の記録面にレーザ光を照射して情報の記録又は再生を行う情報記録再生装置であって、装置外部から装置内部に空気を取り込んで装置内部を冷却する冷却手段と、その冷却手段によって取り込む空気を浄化する空気浄化手段と、装置内部の温度を検出する温度検出手段と、上記冷却手段によって装置内部に空気の取り込み開始後、上記温度検出手段によって検出された装置内部の温度が、予め設定された第１の所定温度に達してからその第１の所定温度よりも高温の第２の所定温度に達するまでの経過時間を計測する計測手段と、その計測手段によって計測された経過時間を予め記憶された基準時間と比較する比較手段と、その比較手段による比較結果に基づいて上記経過時間が上記基準時間よりも短時間であると判断したとき、上記空気浄化手段が汚れていることを警告する警告手段を備えた情報記録再生装置。
【００１３】
（６）記録媒体の記録面にレーザ光を照射して情報の記録又は再生を行う情報記録再生装置であって、装置外部から装置内部に空気を取り込んで装置内部を冷却する冷却手段と、その冷却手段によって取り込む空気を浄化する空気浄化手段と、装置内部の温度を検出する温度検出手段と、上記冷却手段によって装置内部に空気の取り込み開始後、上記温度検出手段によって検出された装置内部の温度が、予め設定した第１の所定温度に達してからその第１の所定温度よりも高温の第２の所定温度に達するまでの経過時間を計測する計測手段と、その計測手段によって計測された経過時間を予め記憶された第１の基準時間とその第１の基準時間よりも短時間である第２の基準時間とそれぞれ比較する比較手段と、その比較手段による比較結果に基づいて、上記経過時間が上記第１の基準時間よりも短時間且つ上記第２の基準時間よりも長時間であると判断したときは上記空気浄化手段が汚れていることを警告し、上記経過時間が上記第２の基準時間よりも短時間であると判断したときは上記冷却手段による冷却に異常があることを警告すると共に上記情報の記録又は再生を禁止する手段を備えた情報記録再生装置。
【００１４】
（７）上記（１）から（６）のいずれかの情報記録再生装置において、上記温度検出手段によって上記第１の所定温度よりも低温の第３の所定温度を検出したとき、上記冷却手段によって装置外部から装置内部に空気を取り込んで装置内部の冷却を開始させる手段を設けた情報記録再生装置。
（８）上記（１）〜（７）のいずれかの情報記録再生装置において、上記基準時間を、上記記録媒体の種類，上記記録媒体の回転速度，上記記録媒体への情報の記録又は再生毎に切り替える手段を設けた情報記録再生装置。
【発明の効果】
【００１５】
この発明による情報記録再生装置は、装置内部の温度上昇によって生じる装置の状況の変化を使用者が容易に認識可能に通知することができる。
【発明を実施するための最良の形態】
【００１６】
以下、この発明を実施するための最良の形態を図面に基づいて具体的に説明する。
図３は、後述するこの発明の情報記録再生装置の各実施例のドライブを備えた情報処理装置の構成の概略を示すブロック図である。
この情報処理装置は、パーソナルコンピュータ等のホストコンピュータ１０と光ディスクドライブ１００とからなる。
ホストコンピュータ１０は、入力装置１１，表示装置１２，記録装置１３，インタフェース１４及び主制御装置１５などを備えており、インタフェース１４を介して光ディスクドライブ１００を接続している。
この光ディスクドライブ１００は、後述する各実施例におけるＣＤドライブ又はＤＶＤドライブに相当する。
【００１７】
ホストコンピュータ１０の各部について説明する。
入力装置１１は、例えば、キーボード，マウス及びポインティングデバイスなどのうち少なくとも１つの入力媒体（図示省略）を備えており、ユーザから入力された各種情報を主制御装置１５に通知する。
表示装置１２は、例えば、ＣＲＴ，液晶ディスプレイ（ＬＣＤ）及びプラズマディスプレイパネル（ＰＤＰ）などの表示部（図示省略）を備えており、主制御装置１５からの各種情報を表示する。
記録装置１３はハードディスク（ＨＤＤ）等の記憶装置であり、主制御装置１５のマイクロコンピュータで解読可能なコードで記述された各種のプログラムが格納されている。
【００１８】
なお、この情報処理装置の駆動電源がオン状態になると、上記プログラムは主制御装置１５のメインメモリにロードされる。
インタフェース１４は、光ディスクドライブ１００のＡＴＡＰＩ／ＳＣＳＩインタフェースと接続されている。
なお、各インタフェース間の接続形態は、通信ケーブル（例えばＳＣＳＩケーブル）などの通信線を用いたケーブル接続だけでなく、赤外線などを利用したワイヤレス接続であっても良い。
主制御装置１５は、マイクロコンピュータ，メインメモリ（いずれも公知なので図示を省略する）などを含んで構成され、この情報処理装置の全体を制御する。
インタフェース１４は、光ディスクドライブ１００との双方向の通信インタフェースであり、ＡＴＡＰＩ及びＳＣＳＩ等の標準インタフェースに準拠している。
【００１９】
また、このホストコンピュータ１０は、電源がオン状態の時には、光ディスクドライブ１００へ電力を供給する。
例えば、パソコン（ＰＣ）に内蔵される光ディスクドライブでは、パソコンが光ディスクドライブの電源管理を行うことが多いので、この実施例では、ホストコンピュータ１０が光ディスクドライブ１００の電源供給を管理する場合を説明する。ホストコンピュータ１０は、電源がオンにされると、光ディスクドライブ１００への給電（電力の供給）を開始する。
なお、入力媒体からの情報はワイヤレス方式で入力されても良い。また、入力装置１１と表示装置１２とが一体化したものとして、例えば、タッチパネル付きＣＲＴなどがある。また、この情報処理装置はオペレーティングシステム（以下「ＯＳ」という）を搭載している。そして、情報処理装置を構成する全てのデバイスはＯＳによって管理されているものとする。
【００２０】
〔実施例１〕
図１は、この発明の情報記録再生装置の実施例１のＣＤドライブの構成を示すブロック図である。
図２は、この発明の情報記録再生装置の実施例１のＤＶＤドライブの構成を示すブロック図である。
図４は、図１に示すＣＤドライブと図２に示すＤＶＤドライブの縦断面図である。
図５は、図１に示すＣＤドライブと図２に示すＤＶＤドライブの正面図である。
図６は、図１に示すＣＤドライブと図２に示すＤＶＤドライブの装置内部の温度変化の一例を示す線図である。
【００２１】
光ディスクドライブ１００がＣＤドライブの場合、図１に示すように、ＣＤ，ＣＤ−ＲＯＭディスク，ＣＤ−Ｒディスク，ＣＤ−ＲＷディスク等のＣＤ系の光ディスク７０の記録面にレーザ光を照射して情報（データ）の記録と再生を行う情報記録再生装置であり、このＣＤドライブ１は、スピンドルモータ２０，光ピックアップ２１，モータドライバ２２，リードアンプ２３，サーボ回路２４，ＣＤデコーダ２５，ＡＴＩＰデコーダ２６，レーザコントローラ２７，ＣＤエンコーダ２８，ＣＤ−ＲＯＭエンコーダ２９，バッファＲＡＭ３０，バッファマネージャ３１，ＣＤ−ＲＯＭデコーダ３２，ＡＴＡＰＩ／ＳＣＳＩインタフェース（Ｉ／Ｆ）３３，Ｄ／Ａコンバータ３４，ＲＯＭ３５，ＣＰＵ３６及びＲＡＭ３７等を備えている。さらに、冷却ファン６０，フィルタ６１，温度センサ６２，速度表示ＬＥＤ６３も備えている。
同図中において、矢印はデータが主に流れる方向を示しており、また、図を簡略化するために、各ブロックを制御するＣＰＵ３６には太線のみを付けて各ブロックとの接続の図示を省略している。
【００２２】
ＲＯＭ３５には、ＣＰＵ３６によって解読可能なコードで記述された制御プログラムが格納されている。この制御プログラムは、このＣＤドライブ１の全体の制御とこの発明に係る処理を実行させるためのプログラムである。なお、ホストコンピュータ１０から供給された電力によってＣＤドライブ１の電源がオン状態になると、ＲＯＭ３５の制御プログラムは図示を省略したメインメモリにロードされ、ＣＰＵ３６はその制御プログラムに従って上記各部の動作を制御すると共に、この発明に係る処理を実行し、その制御に必要なデータ等を一時的にＲＡＭ３７に保存する。
このＣＤドライブ１の構成と動作は、次のとおりである。
スピンドルモータ２０によって光ディスク７０を回転駆動する。そのスピンドルモータ２０は、モータドライバ２２とサーボ回路２４によって線速度が一定になるように制御される。その線速度は、階段的に変更することが可能である。
【００２３】
光ピックアップ２１は、公知なので図示を省略した半導体レーザ光源のＬＤ，光学系，フォーカスアクチュエータ，トラックアクチュエータ，受光素子及びポジションセンサ等を内蔵しており、レーザ光ＬＢを光ディスク７０に照射する。また、この光ピックアップ２１は、シークモータによってスレッジ方向への移動が可能である。これらのフォーカスアクチュエータ，トラックアクチュエータ，シークモータは、受光素子とポジションセンサから得られる信号に基いて、モータドライバ２２とサーボ回路２４により、レーザ光ＬＢのスポットが光ディスク７０上の目的の場所に位置するように制御される。
そして、情報の再生（リード）時には、光ピックアップ２１によって得られた再生信号が、リードアンプ２３で増幅されて２値化された後、ＣＤデコーダ２５に入力される。その入力された２値化データは、このＣＤデコーダ２５において、ＥＦＭ（Ｅｉｇｈｔ  ｔｏ  Ｆｏｕｒｔｅｅｎ  Ｍｏｄｕｌａｔｉｏｎ）復調される。
【００２４】
なお、記録データは、８ビットずつまとめられてＥＦＭ変調されており、このＥＦＭ変調では、８ビットを１４ビットに変換し、結合ビットを３ビット付加して合計１７ビットにする。この場合に、結合ビットは、それまでの「１」と「０」の数が平均的に等しくなるように付けられる。これを「ＤＣ成分の抑制」といい、ＤＣカットされた再生信号のスライスレベル変動が抑圧される。
上記復調されたデータは、デインターリーブとエラー訂正の処理が行われる。その後、このデータは、ＣＤ−ＲＯＭデコーダ３２へ入力され、データの信頼性を高めるために、さらにエラー訂正の処理が行われる。このように２回のエラー訂正の処理が行われたデータは、バッファマネージャ３１によって一旦バッファＲＡＭ３０に蓄えられ、セクタデータとして揃った状態で、ＡＴＡＰＩ／ＳＣＳＩインタフェース３３を介して、ホストコンピュータ１０へ一気に転送される。なお、音楽データの場合には、ＣＤデコーダ２５から出力されたデータが、Ｄ／Ａコンバータ３４へ入力され、アナログのオーディオ出力信号（Ａｕｄｉｏ）として取り出される。
【００２５】
また、情報の記録（ライト）時には、ＡＴＡＰＩ／ＳＣＳＩインタフェース３３を通して、ホストコンピュータ１０から送られてきたデータは、バッファマネージャ３１によって一旦バッファＲＡＭ３０に蓄えられる。そして、バッファＲＡＭ３０内にある程度の量のデータが蓄積された状態で、ライト動作が開始されるが、この場合には、その前にレーザスポットを書き込み開始地点に位置させる必要がある。この地点は、トラックの蛇行により予め光ディスク７０上に刻まれているウォブル信号によって求められる。
ウォブル信号には、ＡＴＩＰと呼ばれる絶対時間情報が含まれており、この情報が、ＡＴＩＰデコーダ２６によって取り出される。また、このＡＴＩＰデコーダ２６によって生成される同期信号は、ＣＤエンコーダ２８へ入力され、光ディスク７０上の正確な位置へのデータの書き込みを可能にしている。バッファＲＡＭ３０のデータは、ＣＤ−ＲＯＭエンコーダ２９やＣＤエンコーダ２８において、エラー訂正コードの付加やインターリーブが行われ、レーザコントローラ２７，光ピックアップ２１を介して、光ディスク７０に記録される。
【００２６】
なお、ＥＦＭ変調されたデータは、ビットストリームとしてチャンネルビットレート４．３２１８Ｍｂｐｓ（標準速）でレーザを駆動する。この場合の記録データは、５８８チャンネルビット単位でＥＦＭフレームを構成する。チャンネルクロックとは、このチャンネルビットの周波数のクロックを意味する。
【００２７】
さらに、冷却ファン６０は、ホストコンピュータ１０からの給電を受けてＣＤドライブ１の外部から内部に空気を取り込んでドライブ内部を冷却する冷却手段である。フィルタ６１は、冷却ファン６０によって取り込む空気を浄化する空気浄化手段である。
光ピックアップ２１に設けた温度センサ６２は、ドライブ内部の温度を検出する温度検出手段であり、その検出した温度を示す信号をＣＰＵ３６へ出力する。
そして、ＣＰＵ３６は、この発明に係る機能として、冷却ファン６０によってドライブ内部に空気の取り込み開始後、温度センサ６２によって検出されたドライブ内部の温度が、予め設定された第１の所定温度に達してからその第１の所定温度よりも高温の第２の所定温度に達するまでの経過時間を計測する計測手段と、その計測された経過時間を予め記憶された基準時間と比較する比較手段と、その比較結果に基づいて上記経過時間が上記基準時間よりも短時間であると判断したとき、光ディスク７０に対する情報の記録又は再生を行うときの速度を低下させる速度低下制御手段の機能を果たす。
【００２８】
また、ＣＰＵ３６は速度表示ＬＥＤ６３と共に、上記速度低下制御手段によって速度を低下させたときに光ディスク７０に対する情報の記録又は再生の速度が低下したことを通知する速度低下通知手段の機能を果たす。
【００２９】
光ディスクドライブ１００がＤＶＤドライブの場合、図２に示すように、ＤＶＤ−ＲＡＭ・ＷＯディスク，ＤＶＤ−Ｒディスク，ＤＶＤ＋Ｒディスク，ＤＶＤ−ＲＡＭディスク，ＤＶＤ−ＲＷディスク，ＤＶＤ＋ＲＷディスク等のＤＶＤ系の光ディスク７１の記録面にレーザ光を照射して情報（データ）の記録と再生を行う情報記録再生装置であり、このＤＶＤドライブ２は、スピンドルモータ４０，光ピックアップ４１，モータドライバ４２，リードアンプ４３，サーボ回路４４，ＤＶＤデコーダ４５，ＡＤＩＰデコーダ４６，レーザコントローラ４７，ＤＶＤエンコーダ４８，ＤＶＤ−ＲＯＭエンコーダ４９，バッファＲＡＭ５０，バッファマネージャ５１，ＤＶＤ−ＲＯＭデコーダ５２，ＡＴＡＰＩ／ＳＣＳＩインタフェース（Ｉ／Ｆ）５３，Ｄ／Ａコンバータ５４，ＲＯＭ５５，ＣＰＵ５６及びＲＡＭ５７等を備えている。さらに、冷却ファン６０，フィルタ６１，温度センサ６２，速度表示ＬＥＤ６３も備えている。
同図中において、矢印はデータが主に流れる方向を示しており、また、図を簡略化するために、各ブロックを制御するＣＰＵ５６には太線のみを付けて各ブロックとの接続の図示を省略している。
【００３０】
ＲＯＭ５５には、ＣＰＵ５６によって解読可能なコードで記述された制御プログラムが格納されている。この制御プログラムは、このＤＶＤドライブ２の全体の制御とこの発明に係る処理を実行させるためのプログラムである。なお、ホストコンピュータ１０から供給された電力によってＤＶＤドライブ２の電源がオン状態になると、ＲＯＭ５５の制御プログラムは図示を省略したメインメモリにロードされ、ＣＰＵ５６はその制御プログラムに従って上記各部の動作を制御すると共に、この発明に係る処理を実行し、その制御に必要なデータ等を一時的にＲＡＭ５７に保存する。
このＤＶＤドライブ２の構成と動作は、次のとおりである。
スピンドルモータ４０によって光ディスク７１を回転駆動される。そのスピンドルモータ４０は、モータドライバ４２とサーボ回路４４によって線速度または角速度が一定になるように制御される。その線速度又は角速度は、階段的に変更することが可能である。
【００３１】
光ピックアップ４１は、公知なので図示を省略した半導体レーザ光源のＬＤ，光学系，フォーカスアクチュエータ，トラックアクチュエータ，受光素子及びポジションセンサ等を内蔵しており、レーザ光ＬＢを光ディスク７１に照射する。また、この光ピックアップ４１は、シークモータによってスレッジ方向への移動が可能である。これらのフォーカスアクチュエータ，トラックアクチュエータ，シークモータは、受光素子とポジションセンサから得られる信号に基いて、モータドライバ４２とサーボ回路４４により、レーザ光ＬＢのスポットが光ディスク７１上の目的の場所に位置するように制御される。
そして、情報の再生（リード）時には、光ピックアップ４１によって得られた再生信号が、リードアンプ４３で増幅されて２値化された後、ＤＶＤデコーダ４５に入力される。その入力された２値化データは、このＤＶＤデコーダ４５において８／１６復調される。
【００３２】
なお、記録データは、８ビットずつまとめられて変調（８／１６変調）されており、この変調では、８ビットを１６ビットに変換している。この場合に、結合ビットは、それまでの「１」と「０」の数が平均的に等しくなるように付けられる。これを「ＤＣ成分の抑制」といい、ＤＣカットされた再生信号のスライスレベル変動が抑圧される。
上記復調されたデータは、デインターリーブとエラー訂正の処理が行われる。その後、このデータは、ＤＶＤ−ＲＯＭデコーダ５２へ入力され、データの信頼性を高めるために、さらにエラー訂正の処理が行われる。このように２回のエラー訂正の処理が行われたデータは、バッファマネージャ５１によって一旦バッファＲＡＭ５０に蓄えられ、セクタデータとして揃った状態で、ＡＴＡＰＩ／ＳＣＳＩインタフェース５３を介して、ホストコンピュータ１０へ一気に転送される。なお、音楽データの場合には、ＤＶＤデコーダ４５から出力されたデータが、Ｄ／Ａコンバータ５４へ入力され、アナログのオーディオ出力信号（Ａｕｄｉｏ）として取り出される。
【００３３】
また、情報の記録（ライト）時には、ＡＴＡＰＩ／ＳＣＳＩインターフェース５３を通して、ホストコンピュータ１０から送られてきたデータは、バッファマネージャ５１によって一旦バッファＲＡＭ５０に蓄えられる。その後ライト動作が開始されるが、この場合には、その前にレーザスポットを書き込み開始地点に位置させる必要がある。この地点は、ＤＶＤ＋ＲＷディスク，ＤＶＤ＋Ｒディスクでは、予め光ディスク７１上にトラックの蛇行により刻まれているウォブル信号によって求められる。
なお、上記地点はＤＶＤ＋ＲＷディスク，ＤＶＤ＋Ｒディスクではウォブル信号の代わりにランドプリピットによって、ＤＶＤ−ＲＡＭディスク，ＤＶＤ−ＲＡＭ・ＷＯディスクではプリピットによって求められる。
【００３４】
ＤＶＤ＋ＲＷディスク，ＤＶＤ＋Ｒディスクにおけるウォブル信号には、ＡＤＩＰ（ＡＤｒｅｓｓ  Ｉｎ  Ｐｒｅ−ｇｒｏｏｖｅ）と呼ばれるアドレス情報が含まれており、この情報が、ＡＤＩＰデコーダ４６によって取り出される。また、このＡＤＩＰデコーダ４６によって生成される同期信号は、ＤＶＤエンコーダ４８へ入力され、光ディスク７１上の正確な位置へのデータの書き込みを可能にしている。バッファＲＡＭ５０のデータは、ＤＶＤ−ＲＯＭエンコーダ４９やＤＶＤエンコーダ４８において、エラー訂正コードの付加やインターリーブが行われ、レーザコントローラ４７，光ピックアップ４１を介して、光ディスク７１に記録される。また、ランドプリピットやプリピットからアドレス情報を得る構成であっても良い。
【００３５】
さらに、冷却ファン６０は、ホストコンピュータ１０からの給電を受けてＣＤドライブ１の外部から内部に空気を取り込んでドライブ内部を冷却する冷却手段である。フィルタ６１は、冷却ファン６０によって取り込む空気を浄化する空気浄化手段である。
光ピックアップ２１に設けた温度センサ６２は、ドライブ内部の温度を検出する温度検出手段であり、その検出した温度を示す信号をＣＰＵ３６へ出力する。
そして、ＣＰＵ３６は、この発明に係る機能として、冷却ファン６０によってドライブ内部に空気の取り込み開始後、温度センサ６２によって検出されたドライブ内部の温度が、予め設定された第１の所定温度に達してからその第１の所定温度よりも高温の第２の所定温度に達するまでの経過時間を計測する計測手段と、その計測された経過時間を予め記憶された基準時間と比較する比較手段と、その比較結果に基づいて上記経過時間が上記基準時間よりも短時間であると判断したとき、光ディスク７０に対する情報の記録又は再生を行うときの速度を低下させる速度低下制御手段の機能を果たす。
【００３６】
また、ＣＰＵ３６は速度表示ＬＥＤ６３と共に、上記速度低下制御手段によって速度を低下させたときに光ディスク７０に対する情報の記録又は再生の速度が低下したことを通知する速度低下通知手段の機能を果たす。
【００３７】
図１に示すＣＤドライブ１と図２に示すＤＶＤドライブ２は、図５に示すように、ドライブの前面側のフロントパネル６に、トレー３，イジェクトボタン７，電源表示ＬＥＤ８，速度表示ＬＥＤ６３ａと６３ｂが配置されている。
トレー３は、情報の記録又は再生をする記録媒体（メディア）である光ディスクを載置してドライブ内に挿着する部材である。
イジェクトボタン７は、光ディスクの出し入れをする際に押下するボタンである。
電源表示ＬＥＤ８は、電源が供給されて駆動状態であることを点灯して示すランプである。速度表示ＬＥＤ６３ａと６３ｂは、上記速度表示ＬＥＤ６３に相当し、これらの点灯と非点灯の組合せによって情報の記録又は再生の速度状態を示すランプであり、情報の記録又は再生の速度が低下したことも通知する。
【００３８】
図１に示すＣＤドライブ１と図２に示すＤＶＤドライブ２の内部は、図４に示すように、トレー３が前面方向（フロントパネル６側）にスライドすることで光ディスクの着脱ができる。ドライブ内の後部に冷却ファン６０を取り付けている。また、その冷却ファン６０にフィルタ６１を着脱可能に取り付けており、このフィルタ６１は使用者が交換及び洗浄することができる。
なお、冷却ファン６０とフィルタ６１を設ける位置は一例に過ぎず、その他の位置に配置するようにしても良い。
【００３９】
ドライブ内の下部に設けられたプリント回路基板（Ｐｒｉｎｔ  Ｃｉｒｃｕｉｔ  Ｂｏａｒｄ：ＰＣＢ）４には、このドライブ全体の制御及びこの発明に係る各種処理を実行するＣＰＵ３６，５６を含めた信号処理ＩＣを搭載し、フレキシブルプリント配線板（Ｆｌｅｘｉｂｌｅ  Ｐｒｉｎｔ  Ｃｉｒｃｕｉｔ：ＦＰＣ）等の可撓性配線基板５によって光ピックアップ２１，４１に信号のやり取りが可能に接続している。
光ピックアップ２１，４１には、図示を省略したレーザ光を発生する半導体レーザ光源であるレーザダイオード（ＬＤ）と、そのＬＤを制御するレーザコントローラ（ＬＤドライバＩＣ）２７，４７が搭載されており、光学系を介してトレー３にある光ディスクに対してレーザ光を照射する。
【００４０】
光ディスクドライブにおいて最も発熱する部材はＬＤとレーザコントローラ２７，４７である場合が多いので、光ピックアップ２１，４１に温度センサを搭載するのが望ましい。したがって、この実施例１を含めて後述の実施例においては、光ピックアップ２１，４１に温度センサ６２を設けた場合を説明する。なお、温度センサ６２を装置内のその他の位置に設けるようにしても良い。温度センサ６２で検出した温度を示す信号はＣＰＵ３６，５６へ出力される。
【００４１】
次に、この実施例１の光ディスクドライブにおける装置内温度に基づく処理について説明する。
電源がオンになると、冷却ファン６０が動作を開始し、フィルタ６１を通してドライブ内に外部の空気を取り込んでドライブ内の冷却を開始し、温度センサ６２で検出されたドライブ内の温度がＣＰＵ３６，５６へ出力される。
ＣＰＵ３６，５６は、冷却ファン６０によってドライブ内部に空気の取り込み開始後、例えば、光ディスクへの記録又は再生時に光ディスクに対してＬＤを点灯することで、時間の経過と共に次第にドライブ内の温度が上昇し、温度センサ６２によって検出されたドライブ内の温度が、予め設定された第１の所定温度ＴＭＰ１に達してからその第１の所定温度ＴＭＰ１よりも高温の第２の所定温度ＴＭＰ２に達するまでの経過時間を計測する。
【００４２】
例えば、図６に示すように、冷却ファン６０が効果的に効いている場合は曲線８０のように緩やかな温度上昇となるので、第１の所定温度ＴＭＰ１に達してからその第１の所定温度ＴＭＰ１よりも高温の第２の所定温度ＴＭＰ２に達するまでの経過時間Ｔａが計測される。一方、例えば、フィルタ６１に塵埃が付着したような状態のように冷却ファン６０が効果的に効いていない場合は曲線８１のように温度上昇の傾斜が変わってきて、第１の所定温度ＴＭＰ１に達してからその第１の所定温度ＴＭＰ１よりも高温の第２の所定温度ＴＭＰ２に達するまでの経過時間Ｔｂが計測され、その経過時間Ｔｂは上記経過時間Ｔａよりも短時間になる。
【００４３】
そこで、ＣＰＵ３６，５６は、その計測した経過時間を予め設定されている基準時間Ｔｒｅｆ１（例えば、ＲＯＭ又はＲＡＭに予め記憶しておく）を比較し、その比較結果に基づいて経過時間が基準時間Ｔｒｅｆ１よりも短時間か否かを判断する。
例えば、上記曲線８０のような温度変化の場合は、経過時間Ｔａが基準時間Ｔｒｅｆ１よりも長時間なので否と判断する。
一方、上記曲線８１のような温度変化の場合は、経過時間Ｔｂが基準時間Ｔｒｅｆ１よりも短時間なので、経過時間Ｔｂが基準時間Ｔｒｅｆ１よりも短時間と判断する。
なお、経過時間と基準時間との比較によって温度上昇率の違いが判定でき、上昇率から最高到達温度の予測が可能である。
【００４４】
そして、経過時間Ｔｂが基準時間Ｔｒｅｆ１よりも短時間と判断したとき、モータドライバ４２へ指示を出して光ディスクの回転速度を低下させ、レーザコントローラへ指示を出してＬＤから発生させるレーザ光ＬＢのレベルを低下させることにより、情報の記録又は再生の速度を低下させる速度低下制御を実行する。このように、光ディスクに対する読み出し書き込み速度を低下させることにより必要なＬＤ出力も低減できるので、結果として装置の温度上昇を低下することができる。
さらに、速度低下制御を実行して速度を低下させたときに、速度表示ＬＥＤ６３によって情報の記録又は再生の速度が低下したことを通知する速度低下通知処理も実行する。
【００４５】
次に、速度表示ＬＥＤ６３による通知例について説明する。
表１は、速度表示ＬＥＤ６３の通知例のパターンを示す表である。
まず、光ディスクへの記録又は再生の速度が正常スピードの場合は、速度表示ＬＥＤ６３の速度表示ＬＥＤ＿Ａ６３ａのみを点灯し、速度表示ＬＥＤ＿Ｂ６３ｂを非点灯にする。次に、上述の処理によって光ディスクへの記録又は再生の速度を低下させて、その記録又は再生の最高速度が低下した場合は、速度表示ＬＥＤ６３の速度表示ＬＥＤ＿Ａ６３ａを消して非点灯にし、速度表示ＬＥＤ＿Ｂ６３ｂを点灯にする。
こうして、この速度表示ＬＥＤ６３の通知によって使用者は最高速度による読み出しまたは書き込みの速度が低下していることを認識することができる。
つまり、フィルタの汚れ具合は使用環境によって大きく異なるので、実際の温度が危険温度を超えてしまう可能性がある。安全のために短い使用時間で警告を出すような設定にすると、使用者に対して頻繁なメンテナンス作業を使用者に要求するのである。
【００４６】
【表１】
2005251337.tif 000003
【００４７】
なお、図６に示した曲線８０と８１の場合の検出温度では共に上昇が続いているが、実際は冷却ファンの効果に応じた温度で安定する。
このようにして、冷却ファン使用時の温度上昇を２点間の温度上昇の経過時間から判断するように構成しているので、光ディスクへの読み出し書き込み速度を低下させることで温度上昇を抑制すると共に、速度が低下していることを使用者に認識させることができる。
【００４８】
〔実施例２〕
この実施例２の光ディスクドライブは、上述の実施例１の光ディスクドライブと構成が同じであるが、ＣＰＵ３６，５６の機能が若干異なる。この実施例２では、冷却ファン使用時の温度上昇を２点間の温度上昇の経過時間から判断するように構成して、光ディスクへの読み出し、書き込み速度を低下させることで温度上昇を抑制すると共に、速度低下の程度を使用者がわかるように表示するように構成している。
【００４９】
すなわち、ＣＰＵ３６，５６は、冷却ファン６０によってドライブ内部に空気の取り込み開始後、温度センサ６２によって検出されたドライブ内部の温度が、予め設定された第１の所定温度に達してからその第１の所定温度よりも高温の第２の所定温度に達するまでの経過時間を計測する計測手段と、その計測された経過時間を予め記憶された第１の基準時間とその第１の基準時間よりも短時間である第２の基準時間とそれぞれ比較する比較手段と、その比較結果に基づいて上記経過時間が第１の基準時間よりも短時間であると判断したときは光ディスクに対する情報の記録又は再生を行うときの速度を予め決められた第１の速度まで低下させ、上記経過時間が第２の基準時間よりも短時間であると判断したときは光ディスクに対する情報の記録又は再生を行うときの速度を第１の速度よりもさらに低速の第２の速度まで低下させる速度低下制御手段の機能を果たす。
【００５０】
また、ＣＰＵ３６，５６は速度表示ＬＥＤ６３と共に、上記速度低下制御手段によって速度を低下させたときに光ディスクに対する情報の記録又は再生の速度が第１の速度まで低下したこと、あるいは第２の速度まで低下したことを識別可能に通知する速度低下通知手段の機能を果たす。
【００５１】
次に、この実施例２の光ディスクドライブにおける装置内温度に基づく処理について説明する。
図７は、図１に示すＣＤドライブと図２に示すＤＶＤドライブの装置内部の温度変化の他の例を示す線図である。
電源がオンになると、冷却ファン６０が動作を開始し、フィルタ６１を通してドライブ内に外部の空気を取り込んでドライブ内の冷却を開始し、温度センサ６２で検出されたドライブ内の温度がＣＰＵ３６，５６へ出力される。
ＣＰＵ３６，５６は、冷却ファン６０によってドライブ内部に空気の取り込み開始後、例えば、光ディスクへの記録又は再生時に光ディスクに対してＬＤを点灯することで、時間の経過と共に次第にドライブ内の温度が上昇し、温度センサ６２によって検出されたドライブ内の温度が、予め設定された第１の所定温度ＴＭＰ１に達してからその第１の所定温度ＴＭＰ１よりも高温の第２の所定温度ＴＭＰ２に達するまでの経過時間を計測する。
【００５２】
例えば、図７に示すように、冷却ファン６０が効果的に効いている場合は曲線８０のように緩やかな温度上昇となるので、第１の所定温度ＴＭＰ１に達してからその第１の所定温度ＴＭＰ１よりも高温の第２の所定温度ＴＭＰ２に達するまでの経過時間Ｔａが計測される。一方、例えば、フィルタ６１に塵埃が付着したような状態のように冷却ファン６０が効果的に効いていない場合は曲線８１のように温度上昇の傾斜が変わってきて、第１の所定温度ＴＭＰ１に達してからその第１の所定温度ＴＭＰ１よりも高温の第２の所定温度ＴＭＰ２に達するまでの経過時間Ｔｂが計測され、その経過時間Ｔｂは上記経過時間Ｔａよりも短時間になる。
さらに、曲線８１のように温度上昇の傾斜がさらに急になると、経過時間Ｔｂよりも短時間の経過時間Ｔｃが計測される。
【００５３】
そこで、ＣＰＵ３６，５６は、その計測した経過時間を予め設定されている第２の基準時間Ｔｒｅｆ２と第１の基準時間Ｔｒｅｆ１（例えば、ＲＯＭ又はＲＡＭに予め記憶しておく）を比較し、その比較結果に基づいて経過時間が第２の基準時間Ｔｒｅｆ２よりも短時間か否かと、第１の基準時間Ｔｒｅｆ１よりも短時間か否かを判断する。
例えば、上記曲線８０のような温度変化の場合は、経過時間Ｔａが第２の基準時間Ｔｒｅｆ２と第１の基準時間Ｔｒｅｆ１よりも長時間なので否と判断する。
一方、上記曲線８１のような温度変化の場合は、経過時間Ｔｂが第２の基準時間Ｔｒｅｆ２よりも長時間であるが、第１の基準時間Ｔｒｅｆ１よりも短時間なので、経過時間Ｔｂが第１の基準時間Ｔｒｅｆ１よりも短時間と判断する。
さらに、上記曲線８２のような温度変化の場合は、経過時間Ｔｃが第２の基準時間Ｔｒｅｆ２と第１の基準時間Ｔｒｅｆ１よりも短時間なので、経過時間Ｔｃが第２の基準時間Ｔｒｅｆ２よりも短時間と判断する。
【００５４】
そして、経過時間Ｔｂが基準時間Ｔｒｅｆ１よりも短時間と判断したときはモータドライバ４２へ指示を出して光ディスクの回転速度を低下させ、レーザコントローラへ指示を出してＬＤから発生させるレーザ光ＬＢのレベルを低下させることにより、情報の記録又は再生の速度を予め設定した第１の速度まで低下させ、経過時間Ｔｃが基準時間Ｔｒｅｆ２よりも短時間と判断したときはモータドライバ４２へ指示を出して光ディスクの回転速度を低下させ、レーザコントローラへ指示を出してＬＤから発生させるレーザ光ＬＢのレベルを低下させることにより、情報の記録又は再生の速度を第１の速度よりもさらに低速の第２の速度まで低下させる速度低下制御を実行する。
さらに、速度低下制御を実行して速度を低下させたときに、速度表示ＬＥＤ６３によって情報の記録又は再生の速度が第１の速度まで低下したことと第２の速度まで低下したことを識別可能に通知する速度低下通知処理も実行する。
【００５５】
次に、速度表示ＬＥＤ６３による通知例について説明する。
表２は、速度表示ＬＥＤ６３の通知例の他のパターンを示す表である。
まず、光ディスクへの記録又は再生の速度が正常スピードの場合は、速度表示ＬＥＤ６３の速度表示ＬＥＤ＿Ａ６３ａのみを点灯し、速度表示ＬＥＤ＿Ｂ６３ｂを非点灯にする。次に、上述の処理によって光ディスクへの記録又は再生の速度を第１の速度まで低下させ、速度低下レベル１にした場合は、速度表示ＬＥＤ＿Ａ６３ａを点灯したまま速度表示ＬＥＤ＿Ｂ６３ｂも点灯する。さらに、上述の処理によって光ディスクへの記録又は再生の速度を第２の速度まで低下させ、速度低下レベル２にした場合は、速度表示ＬＥＤ６３の速度表示ＬＥＤ＿Ａ６３ａを消して非点灯にし、速度表示ＬＥＤ＿Ｂ６３ｂを点灯にする。
【００５６】
【表２】
2005251337.tif 000004
【００５７】
こうして、温度上昇の程度を判別することができるので、検出した時間と基準時間との比率によってさらに詳細に表示することも可能である。
なお、上記点灯パターンに限定されるものではなく、ＬＥＤ表示の追加、専用の表示用ＬＣＤパネルの搭載、ＰＣとのインターフェースを介してＰＣの画面に表示するなどの手段を使用することも可能である。
このようにして、冷却ファン使用時の温度上昇を２点間の温度上昇の経過時間を複数の基準時間で判断するように構成しているので、光ディスクへの読み出し、書き込み速度の低下レベルを細かく制御することにより温度上昇を抑制すると共に、速度低下の程度を使用者に認識させることができる。
【００５８】
〔実施例３〕
この実施例３の光ディスクドライブは、上述の実施例２の光ディスクドライブの構成とそのＣＰＵ３６，５６の機能が若干異なる。この実施例３では、冷却ファン使用時の温度上昇を２点間の温度上昇の経過時間から判断するように構成して、光ディスクへの読み出し、書き込み速度を低下させることで温度上昇を抑制するのに先立って、ダストフィルタの交換や洗浄が必要なことを使用者に警告するように構成している。
【００５９】
図８はこの発明の情報記録再生装置の実施例３のＣＤドライブの構成を示すブロック図であり、図９はこの発明の情報記録再生装置の実施例３のＤＶＤドライブの構成を示すブロック図であり、図１と図２と共通する部分には同一符号を付してその説明を省略する。
図１０は、図８に示すＣＤドライブと図９に示すＤＶＤドライブの正面図であり、図５と共通する部分には同一符号を付している。
この実施例３の光ディスクドライブでは、図８，図９に示すように、あらたにフィルタ（異常）警告ＬＥＤ６４を設けており、ＣＰＵ３６，５６はフィルタ警告ＬＥＤ６４と共に、上記比較手段による比較結果に基づいて、上記経過時間が第１の基準時間よりも短時間且つ第２の基準時間よりも長時間であると判断したときは上記空気浄化手段が汚れていることを警告する警告手段の機能を果たす。
【００６０】
図１０に示すように、フィルタ警告ＬＥＤ６４はフロントパネル６に配置されている。
このフィルタ警告ＬＥＤ６４は、実施例２の光ディスクドライブと同様に複数の基準温度を記憶することにより、温度上昇の程度を詳細に判断して速度低下を表示するに先立って、ダストフィルタの交換，洗浄を使用者に警告するランプである。
【００６１】
次に、この実施例３の光ディスクドライブにおける装置内温度に基づく処理について説明する。
電源がオンになると、冷却ファン６０が動作を開始し、フィルタ６１を通してドライブ内に外部の空気を取り込んでドライブ内の冷却を開始し、温度センサ６２で検出されたドライブ内の温度がＣＰＵ３６，５６へ出力される。
ＣＰＵ３６，５６は、冷却ファン６０によってドライブ内部に空気の取り込み開始後、例えば、光ディスクへの記録又は再生時に光ディスクに対してＬＤを点灯することで、時間の経過と共に次第にドライブ内の温度が上昇し、温度センサ６２によって検出されたドライブ内の温度が、予め設定された第１の所定温度ＴＭＰ１に達してからその第１の所定温度ＴＭＰ１よりも高温の第２の所定温度ＴＭＰ２に達するまでの経過時間を計測する。
【００６２】
例えば、図７に示すように、冷却ファン６０が効果的に効いている場合は曲線８０のように緩やかな温度上昇となるので、第１の所定温度ＴＭＰ１に達してからその第１の所定温度ＴＭＰ１よりも高温の第２の所定温度ＴＭＰ２に達するまでの経過時間Ｔａが計測される。一方、例えば、フィルタ６１に塵埃が付着したような状態のように冷却ファン６０が効果的に効いていない場合は曲線８１のように温度上昇の傾斜が変わってきて、第１の所定温度ＴＭＰ１に達してからその第１の所定温度ＴＭＰ１よりも高温の第２の所定温度ＴＭＰ２に達するまでの経過時間Ｔｂが計測され、その経過時間Ｔｂは上記経過時間Ｔａよりも短時間になる。
【００６３】
さらに、曲線８１のように温度上昇の傾斜がさらに急になると、経過時間Ｔｂよりも短時間の経過時間Ｔｃが計測される。
そこで、ＣＰＵ３６，５６は、その計測した経過時間を予め設定されている第２の基準時間Ｔｒｅｆ２と第１の基準時間Ｔｒｅｆ１（例えば、ＲＯＭ又はＲＡＭに予め記憶しておく）を比較し、その比較結果に基づいて経過時間が第２の基準時間Ｔｒｅｆ２よりも短時間か否かと、第１の基準時間Ｔｒｅｆ１よりも短時間か否かを判断する。
例えば、上記曲線８０のような温度変化の場合は、経過時間Ｔａが第２の基準時間Ｔｒｅｆ２と第１の基準時間Ｔｒｅｆ１よりも長時間なので否と判断する。
一方、上記曲線８１のような温度変化の場合は、経過時間Ｔｂが第２の基準時間Ｔｒｅｆ２よりも長時間であるが、第１の基準時間Ｔｒｅｆ１よりも短時間なので、経過時間Ｔｂが第１の基準時間Ｔｒｅｆ１よりも短時間と判断する。
さらに、上記曲線８２のような温度変化の場合は、経過時間Ｔｃが第２の基準時間Ｔｒｅｆ２と第１の基準時間Ｔｒｅｆ１よりも短時間なので、経過時間Ｔｃが第２の基準時間Ｔｒｅｆ２よりも短時間と判断する。
【００６４】
そして、経過時間Ｔｂが基準時間Ｔｒｅｆ１よりも短時間と判断したときはモータドライバ４２へ指示を出して光ディスクの回転速度を低下させ、レーザコントローラへ指示を出してＬＤから発生させるレーザ光ＬＢのレベルを低下させることにより、情報の記録又は再生の速度を予め設定した第１の速度まで低下させ、経過時間Ｔｃが基準時間Ｔｒｅｆ２よりも短時間と判断したときはモータドライバ４２へ指示を出して光ディスクの回転速度を低下させ、レーザコントローラへ指示を出してＬＤから発生させるレーザ光ＬＢのレベルを低下させることにより、情報の記録又は再生の速度を第１の速度よりもさらに低速の第２の速度まで低下させる速度低下制御を実行する。
さらに、速度低下制御を実行して速度を低下させたときに、速度表示ＬＥＤ６３によって情報の記録又は再生の速度が第１の速度まで低下したことと第２の速度まで低下したことを識別可能に通知する速度低下通知処理も実行し、経過時間が第１の基準時間よりも短時間であると判断したときはフィルタ６１が汚れていることを警告する警告処理も実行する。
【００６５】
次に、速度表示ＬＥＤ６３とフィルタ警告ＬＥＤ６４による通知例について説明する。
表３は、速度表示ＬＥＤ６３とフィルタ警告ＬＥＤ６４の通知例のパターンを示す表である。
まず、光ディスクへの記録又は再生の速度が正常スピードの場合は、速度表示ＬＥＤ６３の速度表示ＬＥＤ＿Ａ６３ａのみを点灯し、速度表示ＬＥＤ＿Ｂ６３ｂを非点灯にし、フィルタ警告ＬＥＤ６４を非点灯にする。次に、上述の処理によって光ディスクへの記録又は再生の速度を第１の速度まで低下させ、速度低下レベル１にした場合は、速度表示ＬＥＤ＿Ａ６３ａを点灯したまま速度表示ＬＥＤ＿Ｂ６３ｂも点灯し、フィルタ警告ＬＥＤ６４も点灯する。さらに、上述の処理によって光ディスクへの記録又は再生の速度を第２の速度まで低下させ、速度低下レベル２にした場合は、速度表示ＬＥＤ６３の速度表示ＬＥＤ＿Ａ６３ａを消して非点灯にし、速度表示ＬＥＤ＿Ｂ６３ｂを点灯にし、フィルタ警告ＬＥＤ６４は点灯のままにする。
【００６６】
【表３】
2005251337.tif 000005
【００６７】
このように、フィルタ警告ＬＥＤ６４の点灯によって使用者にフィルタの交換又は洗浄を促すことにより、冷却効果の低下による読み出し書き込み速度を低下させたまま使用することのないようにすることができる。
このようにして、冷却ファン使用時の温度上昇を２点間の温度上昇の経過時間を複数の基準時間で判断し、その判断に基づいて光ディスクへの読み出し、書き込み速度を低下させることで温度上昇を抑制するのに先立って、ダストフィルタの交換や洗浄が必要なことを使用者に警告するように構成したので、使用者は適切な時期にメンテナンスをすることが可能となり、常に速度低下のない状況で装置を使用することができる。
【００６８】
〔実施例４〕
この実施例４の光ディスクドライブでは、温度上昇によって光ディスクへの読み出し、書き込み速度が低下しているときは速度表示を点滅させて使用者に利用速度が低下していることを警告するように構成している。
すなわち、上述の実施例１〜３の光ディスクドライブにおいて、ＣＰＵ３６，５６に上記速度を低下させたことを通知する際に点滅表示によって通知する手段の機能を設けたものである。
【００６９】
具体的には、ＣＰＵ３６，５６の制御により、上記速度表示ＬＥＤ＿Ｂ６３ｂを点灯するときに点滅させる。したがって、速度が低下したことを使用者によりわかりやすく知らせることが可能となる。
さらに判定する基準となる所定温度を細かく設定して、上記速度表示ＬＥＤ＿Ｂ６３ｂを点灯させ、しばらくしたら点滅させるようにしてもよい。
このようにして、温度上昇によって光ディスクへの読み出し、書き込み速度が低下しているときは速度表示を点滅させるように構成したので、使用者に対して利用速度が低下していることを容易に認識することができる。
【００７０】
〔実施例５〕
この実施例５の光ディスクドライブは、上述の実施例１〜４の光ディスクドライブの構成とそのＣＰＵ３６，５６の機能が若干異なる。この実施例５では、冷却ファン使用時の温度上昇を２点間の温度上昇の経過時間から判断するようにして、ダストフィルタの交換や洗浄が必要なことを使用者に警告するように構成している。
図１１はこの発明の情報記録再生装置の実施例５のＣＤドライブの構成を示すブロック図であり、図１２はこの発明の情報記録再生装置の実施例５のＤＶＤドライブの構成を示すブロック図であり、図１，図２，図８，図９と共通する部分には同一符号を付してその説明を省略する。
図１３は、図１１に示すＣＤドライブと図１２に示すＤＶＤドライブの正面図であり、図５，図１０と共通する部分には同一符号を付している。
【００７１】
この実施例５の光ディスクドライブでは、図１１，図１２に示すように、フィルタ（異常）警告ＬＥＤ６４を設けており、ＣＰＵ３６，５６は、冷却ファン６０によってドライブ内部に空気の取り込み開始後、温度センサ６２によって検出されたドライブ内部の温度が、予め設定された第１の所定温度に達してからその第１の所定温度よりも高温の第２の所定温度に達するまでの経過時間を計測する計測手段と、その計測された経過時間を予め記憶された基準時間と比較する比較手段の機能を果たす。
また、ＣＰＵ３６，５６はフィルタ警告ＬＥＤ６４と共に、上記比較手段による比較結果に基づいて経過時間が基準時間よりも短時間であると判断したとき、フィルタ６１が汚れていることを警告する警告手段の機能も果たす。
図１３に示すように、フィルタ警告ＬＥＤ６４はフロントパネル６に配置されている。
このフィルタ警告ＬＥＤ６４は、複数の基準となる所定温度を記憶することにより、温度上昇の程度を詳細に判断して、ダストフィルタの交換，洗浄を使用者に警告するランプである。
【００７２】
次に、この実施例５の光ディスクドライブにおける装置内温度に基づく処理について説明する。
電源がオンになると、冷却ファン６０が動作を開始し、フィルタ６１を通してドライブ内に外部の空気を取り込んでドライブ内の冷却を開始し、温度センサ６２で検出されたドライブ内の温度がＣＰＵ３６，５６へ出力される。
ＣＰＵ３６，５６は、冷却ファン６０によってドライブ内部に空気の取り込み開始後、例えば、光ディスクへの記録又は再生時に光ディスクに対してＬＤを点灯することで、時間の経過と共に次第にドライブ内の温度が上昇し、温度センサ６２によって検出されたドライブ内の温度が、予め設定された第１の所定温度ＴＭＰ１に達してからその第１の所定温度ＴＭＰ１よりも高温の第２の所定温度ＴＭＰ２に達するまでの経過時間を計測する。
【００７３】
例えば、図６に示すように、冷却ファン６０が効果的に効いている場合は曲線８０のように緩やかな温度上昇となるので、第１の所定温度ＴＭＰ１に達してからその第１の所定温度ＴＭＰ１よりも高温の第２の所定温度ＴＭＰ２に達するまでの経過時間Ｔａが計測される。一方、例えば、フィルタ６１に塵埃が付着したような状態のように冷却ファン６０が効果的に効いていない場合は曲線８１のように温度上昇の傾斜が変わってきて、第１の所定温度ＴＭＰ１に達してからその第１の所定温度ＴＭＰ１よりも高温の第２の所定温度ＴＭＰ２に達するまでの経過時間Ｔｂが計測され、その経過時間Ｔｂは上記経過時間Ｔａよりも短時間になる。
そこで、ＣＰＵ３６，５６は、その計測した経過時間を予め設定されている基準時間Ｔｒｅｆ１（例えば、ＲＯＭ又はＲＡＭに予め記憶しておく）を比較し、その比較結果に基づいて経過時間が基準時間Ｔｒｅｆ１よりも短時間か否かを判断する。
【００７４】
例えば、上記曲線８０のような温度変化の場合は、経過時間Ｔａが基準時間Ｔｒｅｆ１よりも長時間なので否と判断する。
一方、上記曲線８１のような温度変化の場合は、経過時間Ｔｂが基準時間Ｔｒｅｆ１よりも短時間なので、経過時間Ｔｂが基準時間Ｔｒｅｆ１よりも短時間と判断する。
なお、経過時間と基準時間との比較によって温度上昇率の違いが判定でき、上昇率から最高到達温度の予測が可能である。
この予め設定されている基準時間Ｔｒｅｆ１と経過時間Ｔｂを比較することにより、フィルタ６１の汚れ状態を判定することができる。
【００７５】
そして、経過時間Ｔｂが基準時間Ｔｒｅｆ１よりも短時間と判断したとき、フィルタ警告ＬＥＤ６４を消灯から点灯に変更して、使用者にフィルタ６１が汚れていることを警告すると共に、フィルタ６１の交換又は洗浄を促す。
このように、経過時間Ｔｂが基準時間Ｔｒｅｆ１よりも短時間である時には、フィルタ警告ＬＥＤを消灯から点灯に変更して、使用者にフィルタの交換や洗浄の必要性を知らせることができる。
また、温度上昇の程度を判別することができるので、検出した時間と基準時間との比率によってさらに詳細に表示することも可能である。
このようにして、冷却ファン使用時の温度上昇を２点間の温度上昇の経過時間から判断するように構成したので、正確なフィルタの交換や洗浄時期を使用者に知らせることができる。
【００７６】
〔実施例６〕
この実施例６の光ディスクドライブは、上述の実施例５の光ディスクドライブとその構成が同じであるが、そのＣＰＵ３６，５６の機能が若干異なる。この実施例６では、冷却ファン使用時の温度上昇を２点間の温度上昇の経過時間から判断するように構成して、正確なフィルタの交換や洗浄時期を使用者に知らせるようにすると共に、異常な温度上昇を検出した時は装置の読み出し書き込みを禁止して装置を保護するようにしている。
【００７７】
すなわち、ＣＰＵ３６，５６が、冷却ファン６０によってドライブ内部に空気の取り込み開始後、温度センサ６２によって検出されたドライブ内部の温度が、予め設定した第１の所定温度に達してからその第１の所定温度よりも高温の第２の所定温度に達するまでの経過時間を計測する計測手段と、その計測された経過時間を予め記憶された第１の基準時間とその第１の基準時間よりも短時間である第２の基準時間とそれぞれ比較する比較手段と、その比較手段による比較結果に基づいて、上記経過時間が第１の基準時間よりも短時間且つ第２の基準時間よりも長時間であると判断したときはフィルタ６１が汚れていることを警告し、上記経過時間が第２の基準時間よりも短時間であると判断したときは冷却ファン６０による冷却に異常があることを警告すると共に光ディスクに対する情報の記録又は再生を禁止する手段の機能を果たす。
【００７８】
実施例６では、第１の基準時間Ｔｒｅｆ１よりも短時間である第２の基準時間Ｔｒｅｆ２を設定することで、冷却状態の異常を検出することができる。
次に、この実施例６の光ディスクドライブにおける装置内温度に基づく処理について説明する。
電源がオンになると、冷却ファン６０が動作を開始し、フィルタ６１を通してドライブ内に外部の空気を取り込んでドライブ内の冷却を開始し、温度センサ６２で検出されたドライブ内の温度がＣＰＵ３６，５６へ出力される。
ＣＰＵ３６，５６は、冷却ファン６０によってドライブ内部に空気の取り込み開始後、例えば、光ディスクへの記録又は再生時に光ディスクに対してＬＤを点灯することで、時間の経過と共に次第にドライブ内の温度が上昇し、温度センサ６２によって検出されたドライブ内の温度が、予め設定された第１の所定温度ＴＭＰ１に達してからその第１の所定温度ＴＭＰ１よりも高温の第２の所定温度ＴＭＰ２に達するまでの経過時間を計測する。
【００７９】
例えば、図７に示すように、冷却ファン６０が効果的に効いている場合は曲線８０のように緩やかな温度上昇となるので、第１の所定温度ＴＭＰ１に達してからその第１の所定温度ＴＭＰ１よりも高温の第２の所定温度ＴＭＰ２に達するまでの経過時間Ｔａが計測される。一方、例えば、フィルタ６１に塵埃が付着したような状態のように冷却ファン６０が効果的に効いていない場合は曲線８１のように温度上昇の傾斜が変わってきて、第１の所定温度ＴＭＰ１に達してからその第１の所定温度ＴＭＰ１よりも高温の第２の所定温度ＴＭＰ２に達するまでの経過時間Ｔｂが計測され、その経過時間Ｔｂは上記経過時間Ｔａよりも短時間になる。
さらに、曲線８１のように温度上昇の傾斜がさらに急になると、経過時間Ｔｂよりも短時間の経過時間Ｔｃが計測される。
【００８０】
そこで、ＣＰＵ３６，５６は、その計測した経過時間を予め設定されている第２の基準時間Ｔｒｅｆ２と第１の基準時間Ｔｒｅｆ１（例えば、ＲＯＭ又はＲＡＭに予め記憶しておく）を比較し、その比較結果に基づいて経過時間が第２の基準時間Ｔｒｅｆ２よりも短時間か否かと、第１の基準時間Ｔｒｅｆ１よりも短時間か否かを判断する。
例えば、上記曲線８０のような温度変化の場合は、経過時間Ｔａが第２の基準時間Ｔｒｅｆ２と第１の基準時間Ｔｒｅｆ１よりも長時間なので否と判断する。
一方、上記曲線８１のような温度変化の場合は、経過時間Ｔｂが第２の基準時間Ｔｒｅｆ２よりも長時間であるが、第１の基準時間Ｔｒｅｆ１よりも短時間なので、経過時間Ｔｂが第１の基準時間Ｔｒｅｆ１よりも短時間と判断する。
【００８１】
さらに、上記曲線８２のような温度変化の場合は、経過時間Ｔｃが第２の基準時間Ｔｒｅｆ２と第１の基準時間Ｔｒｅｆ１よりも短時間なので、経過時間Ｔｃが第２の基準時間Ｔｒｅｆ２よりも短時間と判断する。
そして、経過時間Ｔｂが基準時間Ｔｒｅｆ１よりも短時間と判断したときは、フィルタ警告ＬＥＤ６４によってフィルタ６１が汚れていることを警告すると共に、フィルタの交換又は洗浄を促す通知をする。経過時間Ｔｃが基準時間Ｔｒｅｆ２よりも短時間と判断したときは、例えば、冷却ファン６０が故障して動作していない状況が想定されるので、フィルタ警告ＬＥＤ６４によって冷却ファン６０による冷却に異常があることを警告し、レーザコントローラへ指示を出してＬＤから発生させるレーザ光ＬＢのレベルを停止させることにより、情報の記録又は再生を禁止する。
【００８２】
次に、フィルタ警告ＬＥＤ６４による通知例について説明する。
表４は、フィルタ警告ＬＥＤ６４の通知例のパターンを示す表である。
まず、経過時間が基準時間Ｔｒｅｆ１よりも長時間の時は、冷却ファン６０の異常もなく、フィルタ６１の汚れも冷却ファン６０の冷却効果を低下させるほどには汚れていないものとして、冷却状態が正常であることを示すためにフィルタ警告ＬＥＤ６４を非点灯のままにする。
次に、上述の処理によって経過時間が基準時間Ｔｒｅｆ１よりも短時間の時は、フィルタ６１が冷却ファン６０の冷却効果を低下させるほど汚れているものとして、フィルタ６１の汚れを警告し、フィルタの交換又は洗浄を促すために、フィルタ警告ＬＥＤ６４を非点灯から点灯に変更する。
【００８３】
さらに、上述の処理によって経過時間が基準時間Ｔｒｅｆ２よりも短時間の時は、冷却ファン６０に異常が発生したとして、冷却ファン６０による冷却に異常があることを警告するためにフィルタ警告ＬＥＤ６４を点滅表示に変更し、直ちにレーザコントローラへ指示を送ってＬＤの発光を停止させて光ディスクに対する情報の記録と再生を禁止する。
このように、ドライブ内の急激な温度上昇が経過時間によって検出されたときは、基準時間Ｔｒｅｆ２より短時間であることから異常値であると判断し、例えば冷却ファンが故障して動作していないような状況が想定されるので、警告手段を表示すると共に読み出し書き込みを禁止して光ディスクドライブを保護することができる。
また、フィルタ警告ＬＥＤ６４の点灯と点滅を使い分けることにより、新たな部品の追加を行わずにフィルタの汚れと冷却異常の２種類の通知を達成することができる。
さらに、冷却ファンが動作しているか否かを検出する手段の追加も不要である。
【００８４】
【表４】
2005251337.tif 000006
【００８５】
なお、図示を省略するが、フィルタ警告ＬＥＤ６４の表示パターンは上述のものに限定されるものではなく、フィルタの汚れと冷却異常の通知を、専用の表示用ＬＣＤパネルを搭載してそれに表示したり、ＰＣとのインタフェースを介してＰＣの画面に表示したりすることも可能である。
このようにして、冷却ファン使用時の温度上昇を２点間の温度上昇の経過時間から判断するように構成したので、正確なフィルタの交換や洗浄時期を使用者に知らせるようにすると共に、異常な温度上昇を検出した時は装置の読み出し、書き込みを禁止して装置を保護することができる。
【００８６】
〔実施例７〕
この実施例７の光ディスクドライブは、上述の実施例１〜６のいずれかの光ディスクドライブにおいて、冷却ファン６０の作動を開始するタイミングを計測するべき温度に連動させて、２点間の温度上昇の経過時間を正確に計測できるようにしている。
すなわち、ＣＰＵ３６，５６が上記温度検出手段によって上記第１の所定温度よりも低温の第３の所定温度を検出したとき、上記冷却手段によって装置外部から装置内部に空気を取り込んで装置内部の冷却を開始させる手段の機能を果たす。
【００８７】
図１４は、図１１に示すＣＤドライブと図１２に示すＤＶＤドライブの装置内部の温度変化の一例を示す線図である。
ＣＰＵ３６，５６は、図１４に示すように、第１の所定温度であるＴＭＰ１よりも低温の第３の所定温度ＴＭＰ０を検出すると、冷却ファン６０を作動させるように制御する。
こうして、任意のタイミングで冷却ファンを作動させるよりも温度検出の精度が向上すると共に、冷却を必要としない温度での電力削減が可能である。また、第１の所定温度ＴＭＰ１を検出したタイミングで冷却ファン６０を作動させるように構成することも可能であり、その場合、第１の所定温度よりも低温の第３の所定温度ＴＭＰ０を記憶する必要はない。
このようにして、冷却ファンの作動を開始するタイミングを計測するべき温度に連動させるように構成したので、２点間の温度上昇の経過時間を正確に計測することができる。
【００８８】
〔実施例８〕
この実施例８の光ディスクドライブは、上述の実施例１〜７のいずれかの光ディスクドライブにおいて、使用状況に応じた複数の温度上昇の判定基準時間を記憶するようにして、使用状況によらず正確なフィルタの交換や洗浄時期を使用者に知らせるようにする。
すなわち、例えば、ＲＯＭ又はＲＡＭに予め光ディスクの種類，光ディスクの回転速度，光ディスクへの情報の記録又は再生毎の基準時間（上記第１の基準時間，上記第２の基準時間も含む）を記憶する。
【００８９】
例えば、使用する光ディスクの種類（ＣＤ−ＲＯＭディスク，ＣＤ−Ｒディスク，ＣＤ−ＲＷディスク，ＤＶＤ−ＲＯＭディスク，ＤＶＤ−Ｒディスク，ＤＶＤ＋Ｒディスク，ＤＶＤ−ＲＷディスク，ＤＶＤ＋ＲＷディスク，ＤＶＤ−ＲＡＭディスク）と、光ディスクの速度（基準速度に対して何倍かということ）と、光ディスクに対する記録・再生の条件の組み合わせによって複数種類の基準時間を記憶する。
そして、ＣＰＵ３６，５６が光ディスクの種類，光ディスクの回転速度，光ディスクへの情報の記録又は再生毎に基準時間を切り替え、上述の処理を実行する。
こうして、特定の条件下だけではなく上述したドライブ部の温度上昇によって生じるドライブの状況の変化を使用者が容易に認識可能に通知する機能を実現することが可能である。
【００９０】
また、一般的には最も温度上昇する条件は、最高速度での書き込み時なので、あまり詳細に設定しなくても十分な効果が得られる。さらに、各条件での基準時間は実験的に求められるが、ＬＤを発光させるときの電力から計算することも可能である。
このようにして、使用状況に応じた複数の温度上昇の判定基準時間を記憶するようにしたので、特定の使用状態に限らずに正確なフィルタの交換や洗浄時期を使用者に知らせることができる。
上述の各実施例では速度低下の通知とフィルタの汚れの警告をランプで知らせる場合について説明したが、表示部に文字で表示したり、スピーカから音声出力して知らせるようにしても良い。
【産業上の利用可能性】
【００９１】
この発明による情報記録再生装置は、ＭＯドライブ等の光ディスクドライブにおいても適用することができる。
【図面の簡単な説明】
【００９２】
【図１】この発明の情報記録再生装置の実施例１のＣＤドライブの構成を示すブロック図である。
【図２】この発明の情報記録再生装置の実施例１のＤＶＤドライブの構成を示すブロック図である。
【図３】この発明の情報記録再生装置の各実施例のドライブを備えた情報処理装置の構成の概略を示すブロック図である。
【図４】図１に示すＣＤドライブと図２に示すＤＶＤドライブの縦断面図である。
【００９３】
【図５】図１に示すＣＤドライブと図２に示すＤＶＤドライブの正面図である。
【図６】図１に示すＣＤドライブと図２に示すＤＶＤドライブの装置内部の温度変化の一例を示す線図である。
【図７】図１に示すＣＤドライブと図２に示すＤＶＤドライブの装置内部の温度変化の他の例を示す線図である。
【図８】この発明の情報記録再生装置の実施例３のＣＤドライブの構成を示すブロック図である。
【００９４】
【図９】この発明の情報記録再生装置の実施例３のＤＶＤドライブの構成を示すブロック図である。
【図１０】図８に示すＣＤドライブと図９に示すＤＶＤドライブの正面図である。
【図１１】この発明の情報記録再生装置の実施例５のＣＤドライブの構成を示すブロック図である。
【図１２】この発明の情報記録再生装置の実施例５のＤＶＤドライブの構成を示すブロック図である。
【図１３】図１１に示すＣＤドライブと図１２に示すＤＶＤドライブの正面図である。
【図１４】図１１に示すＣＤドライブと図１２に示すＤＶＤドライブの装置内部の温度変化の一例を示す線図である。
【符号の説明】
【００９５】
１：ＣＤドライブ    ２：ＤＶＤドライブ    ３：トレー    ４：ＰＣＢ    ５：可撓性配線基板    ６：フロントパネル    ７：イジェクトボタン    ８：電源表示ＬＥＤ    １０：ホストコンピュータ    １１：入力装置    １２：表示装置    １３：記録装置    １４：インタフェース    １５：主制御装置    ２０，４０：スピンドルモータ    ２１，４１：光ピックアップ    ２２，４２：モータドライバ    ２３，４３：リードアンプ    ２４，４４：サーボ回路    ２５：ＣＤデコーダ    ２６：ＡＴＩＰデコーダ    ２７，４７：レーザコントローラ    ２８：ＣＤエンコーダ    ２９：ＣＤ−ＲＯＭエンコーダ    ３０，５０：バッファＲＡＭ    ３１，５１：バッファマネージャ    ３２：ＣＤ−ＲＯＭデコーダ    ３３，５３：ＡＴＡＰＩ／ＳＣＳＩ・Ｉ／Ｆ  ３４，５４：Ｄ／Ａコンバータ    ３５，５５：ＲＯＭ    ３６，５６：ＣＰＵ    ３７，５７：ＲＡＭ    ４５：ＤＶＤデコーダ    ４６：ＡＤＩＰデコーダ    ４８：ＤＶＤエンコーダ    ４９：ＤＶＤ−ＲＯＭエンコーダ    ５２：ＤＶＤ−ＲＯＭデコーダ    ６０：冷却ファン    ６１：フィルタ    ６２：温度センサ    ６３：速度表示ＬＥＤ    ６３ａ：速度表示ＬＥＤ＿Ａ    ６３ｂ：速度表示ＬＥＤ＿Ｂ    ６４：フィルタ警告ＬＥＤ 
【図１】
2005251337.tif 000007
【図２】
2005251337.tif 000008
【図３】
2005251337.tif 000009
【図４】
2005251337.tif 000010
【図５】
2005251337.tif 000011
【図６】
2005251337.tif 000012
【図７】
2005251337.tif 000013
【図８】
2005251337.tif 000014
【図９】
2005251337.tif 000015
【図１０】
2005251337.tif 000016
【図１１】
2005251337.tif 000017
【図１２】
2005251337.tif 000018
【図１３】
2005251337.tif 000019
【図１４】
2005251337.tif 000020